(57)【特許請求の範囲】
【請求項１】
複数の発光ダイオードを有するフレキシブル照明ストリップであって、前記発光ダイオードが、少なくとも２つのグループにて配置され、各グループが、電気直列接続にて構成された少なくとも２つの発光ダイオードを有し、前記少なくとも２つのグループの発光ダイオードが、アノードトラック及びカソードトラックに対して平行に配列され、前記少なくとも２つのグループが、第１グループの最後の発光ダイオードが第２グループの最初の発光ダイオードの隣に配置されるように長手方向配置で配置され、外側ラインの各々が、実質的に円形の断面を持つワイヤで構成され、前記外側ラインの前記ワイヤが、圧縮応力及び／又は引張応力を受け入れるよう曲げられており、電気回路が、前記外側ラインの間に配置された中心ラインとして、実質的に円形の断面のワイヤを有する第３のワイヤラインを提供し、全グループの少なくとも１つの発光ダイオードが、インターポーザ上にマウントされ、前記インターポーザが３つ全てのワイヤラインに接触している、フレキシブル照明ストリップ。
【請求項２】
前記外側ライン間に３つの発光ダイオードが直列に接続され、第１の発光ダイオードが一方の外側ラインを第１の内側セグメントに接続し、前記第１の内側セグメントが第２の発光ダイオードを介して第２の内側セグメントに接続し、前記第２の内側セグメントが第３の発光ダイオードを介して第２の外側ラインに接続している、請求項１に記載のフレキシブル照明ストリップ。
【請求項３】
前記インターポーザは、第１の面に、前記発光ダイオードへの接続用の２つの電気結合パッドを有する、請求項１又は２に記載のフレキシブル照明ストリップ。
【請求項４】
前記インターポーザは、第２の面に、前記ワイヤへの接続用の４つの結合パッドを有する、請求項１乃至３のいずれか一項に記載のフレキシブル照明ストリップ。
【請求項５】
前記インターポーザは、第２の面に、前記ワイヤへの接続用の４つの結合パッドを有し、前記インターポーザの前記第１の面の前記２つの結合パッドは、ビアを介して前記インターポーザの前記第２の面の前記結合パッドのうちの２つに接続されている、請求項３に記載のフレキシブル照明ストリップ。
【請求項６】
全ての発光ダイオードがインターポーザ上にマウントされている、請求項１乃至５のいずれか一項に記載のフレキシブル照明ストリップ。
【請求項７】
電気接続のためのルーティングが、グループ内の少なくとも２つのインターポーザについて異なる、請求項１乃至６のいずれか一項に記載のフレキシブル照明ストリップ。
【請求項８】
少なくとも１つのグループの２つ以上の発光ダイオードと、異なる電気ルーティングを有する３つの異なる種類のインターポーザが統合されている、請求項１乃至７のいずれか一項に記載のフレキシブル照明ストリップ。
【請求項９】
実質的に円形のワイヤを有する前記第３のワイヤラインは、セグメント化されている、請求項１乃至８のいずれか一項に記載のフレキシブル照明ストリップ。
【請求項１０】
前記第３のワイヤラインの少なくとも１つのセグメントが、２つの隣接し合うグループの隣接し合うインターポーザの電流搬送しない２つの結合パッドを、電流搬送しないワイヤセグメントによって接続している、請求項９に記載のフレキシブル照明ストリップ。
【請求項１１】
前記第３のワイヤラインは実質的に、複数の直線状のワイヤセグメントからなる、請求項１乃至１０のいずれか一項に記載のフレキシブル照明ストリップ。
【請求項１２】
前記第３のワイヤラインは実質的に、複数の曲がったワイヤセグメントからなる、請求項１乃至１０のいずれか一項に記載のフレキシブル照明ストリップ。
【請求項１３】
前記ワイヤラインの外側ワイヤ屈曲が、１つの平面内で好ましく外側に向かっている、請求項１乃至１２のいずれか一項に記載のフレキシブル照明ストリップ。
【請求項１４】
前記第３のワイヤラインは実質的に、前記外側ワイヤラインによって画成される前記平面内に位置している、請求項１３に記載のフレキシブル照明ストリップ。
【請求項１５】
前記第３のワイヤラインは、前記２つの外側ワイヤラインによって画成される前記平面から突出する少なくとも１つの屈曲ワイヤセグメントを有する、請求項１３に記載のフレキシブル照明ストリップ。
【請求項１６】
前記第３のワイヤラインは、前記外側ワイヤラインによって画成される前記平面に対して垂直な少なくとも１つの屈曲ワイヤセグメントを有する、請求項１３に記載のフレキシブル照明ストリップ。
【請求項１７】
前記インターポーザはプリント回路基板（ＰＣＢ）で作製されている、請求項１乃至１６のいずれか一項に記載のフレキシブル照明ストリップ。
【請求項１８】
前記インターポーザはセラミック材料で作製されている、請求項１乃至１６のいずれか一項に記載のフレキシブル照明ストリップ。
【請求項１９】
前記インターポーザのうちの１つが、全グループの一端部に位置して外部電力ラインに接続される、請求項１乃至１８のいずれか一項に記載のフレキシブル照明ストリップ。
【請求項２０】
前記インターポーザ上に、更なる電気コンポーネントが取り付けられている、請求項１乃至１９のいずれか一項に記載のフレキシブル照明ストリップ。
【請求項２１】
請求項１乃至２０のいずれか一項に記載のフレキシブル照明ストリップを有する照明装置であって、前記フレキシブル照明ストリップがホルダー内に封入されている、照明装置。
【請求項２２】
前記フレキシブル照明ストリップはシリコーン材料内に封入されている、請求項２１に記載の照明装置。
【請求項２３】
請求項１乃至２２のいずれか一項に記載のフレキシブル照明ストリップを有する車両ライトアセンブリであって、当該車両ライトアセンブリは、電気インタフェースを有し、前記電気インタフェースは、当該車両ライトアセンブリを外部電源に結合するように構成されている、車両ライトアセンブリ。
【請求項２４】
請求項２３に記載の車両ライトアセンブリを有する車両ライト。
【発明の詳細な説明】
【技術分野】
【０００１】
本発明は、多数の発光ダイオード（ＬＥＤ）を長手方向配置で有するフレキシブル照明ストリップに関する。本発明は更に、そのようなフレキシブル照明ストリップを有するライトアセンブリに関する。本発明は最終的に、そのような車両ライトアセンブリを有する車両リアライト又は車両フロントライトに関する。
【背景技術】
【０００２】
ますます増加する照明用途に、フレキシブル発光ダイオードバンドが使用されている。多くの場合、発光ダイオードの正面に、例えば所望の特性の放射光ビームを得るためのレンズ、リフレクタ、及び／又はコリメータ、及び／又は光ガイドなどの、光放射を変える光学素子が配置される。発光ダイオードバンドの曲げ性又は形状順応性が、例えば、曲線美の自動車ボディフレームに一体化された車両ライトアセンブリのように、対応する用途にはめ込むことを可能にする。フレキシブル発光ダイオードバンドの信頼性は、特に自動車用途において重要な特徴である。
【０００３】
例えばＵＳ２００９／０２９６３８２Ａ１（特許文献１）がフレキシブル発光ダイオードバンドを開示している。そのフレキシブル発光ダイオードバンドは、フレキシブル発光ダイオードバンドを取り付けるためのベースと、該ベースに接続可能な、少なくとも部分的に光透過性のカバーとを有し、ベース及びカバーが、互いに接続された状態で、フレキシブル発光ダイオードバンドのための収容キャビティを形成する。
【先行技術文献】
【特許文献】
【０００４】
【特許文献１】米国特許出願公開第２００９／０２９６３８２号明細書
【発明の概要】
【０００５】
本発明の１つの目的は、単純で改善された機械的対称構成を提供するような、信頼性が向上された、多数の発光ダイオードを有するフレキシブル照明ストリップを提供することである。
【０００６】
本発明は、独立請求項によって規定される。従属請求項は有利な実施形態を規定する。
【０００７】
第１の態様によれば、多数の発光ダイオードを有するフレキシブル照明ストリップが提供される。発光ダイオードは、少なくとも２つのグループにて配置される。各グループが、電気直列接続にて構成された少なくとも２つの発光ダイオードを有する。該少なくとも２つのグループは、少なくともアノードトラック及びカソードトラックを外側ラインとして有する電気回路にて構成される。該少なくとも２つのグループの発光ダイオードは、アノードトラック及びカソードトラックに対して平行に配列される。該少なくとも２つのグループは、第１グループの最後の発光ダイオードが第２グループの最初の発光ダイオードの隣に配置されるように長手方向配置で配置される。外側ラインの各々が、実質的に円形の断面を持つワイヤラインで構成され、外側ラインのワイヤは、圧縮応力及び／又は引張応力を受けてそれを弾性変形によって吸収することができる屈曲ゾーンを有する。上記電気回路が、外側ラインの間に配置された中心ラインとして、実質的に円形のワイヤを有する第３のワイヤラインを提供する。第３のワイヤラインは、好ましくは中心ワイヤラインである。
【０００８】
円形ワイヤ形態を使用することで、例えば、自動車用途で典型的に要求される−４０℃／１２５℃、５ｓｅｃ／３０ｍｉｎのドレイン／ドウェル時間での熱機械サイクル応力試験の間に存在するような、フレキシブル照明ストリップに加わる力が、円形のワイヤ内に均等に分散される。円形ワイヤ形態は、故に、矩形のリードフレームラインのように良好に応力に耐えて吸収することができ、自動車用途で要求される応力試験に合格することを可能にする。
【０００９】
全グループの少なくとも１つの発光ダイオードが、インターポーザ上にマウントされ、インターポーザが３つ全てのワイヤラインに接触する。そして、これらのインターポーザの間に、屈曲外側ワイヤゾーンが位置付けられる。好ましくは、インターポーザはヒートスプレッダとして作用する。インターポーザは、例えば抵抗といった、１つ以上の更なる電気コンポーネントを担持してもよい。
【００１０】
電気接続のためのルーティングが、グループ内の少なくとも２つのインターポーザについて異なることができ、例えば、パッドレイアウト及びビア位置が異なり得る。
【００１１】
１つのグループ内の２つ以上の発光ダイオードに対し、異なる電気ルーティングを有する３つの異なる種類のインターポーザが好ましい。
【００１２】
特に、１つのグループ内の３つ以上の発光ダイオードに対し、異なる電気ルーティングを有する３つの異なる種類のインターポーザが好ましい。
【００１３】
第３のワイヤも曲げられ得る。
【００１４】
本発明の好適な一実施形態において、第３のワイヤラインはセグメント化される。
【００１５】
本発明の有利な一実施形態において、第３のワイヤラインは実質的に、複数の直線状のワイヤセグメントからなる。
【００１６】
本発明の好適な一実施形態において、第３のワイヤラインの少なくとも１つのセグメントが、２つの隣接し合うグループの隣接し合うインターポーザの電流搬送しない２つの結合パッドを、電流搬送しないワイヤセグメントによって接続する。
【００１７】
外側ワイヤ屈曲は好ましくは、１つの平面内で好ましく外側に向かっている。
【００１８】
中心ワイヤ屈曲は好ましくは、外側ワイヤによって画成される平面内にない。
【００１９】
本発明の有利な一実施形態において、中心ワイヤ屈曲は、外側ワイヤによって画成される平面に対して垂直である。
【００２０】
本発明の好適な一実施形態において、インターポーザのうちの１つが、全グループの一端部に位置して外部電力ラインに直接的に又は間接的に接続される。
【００２１】
発光ダイオードをインターポーザ上にはんだ付けすることは、フレキシブル照明ストリップの、より単純で、機械的にいっそう対称的な構成につながる。その場合、発光ダイオードは、ＳＭＤコンポーネントとして提供されることができ、リボン又はワイヤボンディングによって発光ダイオードを電気的に接続することを不要にする。
【００２２】
ワイヤもインターポーザにはんだ付けされ得る。ワイヤの取り付けは、インターポーザへの発光ダイオードの取り付けと並行して１つの工程で行われ得る。これはまた、２つの次々のプロセス工程で行われてもよい。インターポーザに最初に取り付けられるのがワイヤなのか発光ダイオードなのかの、はんだ付けのシーケンスが選択され得る。その場合、１つのはんだ点が二重リフローされてもよい。
【００２３】
本発明の有利な一実施形態において、１つのはんだ点、多数のはんだ点、又は全てのはんだ点が二重リフローされる。
【００２４】
好ましくは、発光ダイオードが最初にインターポーザにはんだ付けされ、ワイヤは、第２のリフロープロセスにてインターポーザにはんだ付けされる。その結果、発光ダイオードのはんだジョイントが２回にわたってリフローされる。
【００２５】
本発明の好適な他の一実施形態において、電気ワイヤは、例えば、レーザ溶接によって、又は抵抗溶接によってなど、異なるプロセスを用いてインターポーザに取り付けられる。発光ダイオードは、この溶接プロセスの前又は後に取り付けられ得る。
【００２６】
特に、外側ワイヤは好ましくは延性材料からなる。
【００２７】
有利には、外側ワイヤは、例えば、Ｃｕ金属、ＣｕＦｅ２Ｐ合金若しくはＣｕＮｉＳｉ合金などのＣｕ合金、又は他の合金やこれらの混合物などの、導電性の材料からなる。
【００２８】
中間ワイヤは好ましくは延性材料からなる。外側ワイヤは、それぞれ圧縮応力及び引張応力を受け入れることができるゾーンを有し得る。外側ワイヤの屈曲ゾーンは、屈することによって圧縮応力及び／又は引張応力を吸収することができる。
【００２９】
インターポーザが３つ全てのワイヤラインに接触するので、このフレキシブル照明ストリップは機械的に安定化される。
【００３０】
このフレキシブル照明ストリップにおいて、外側ライン間に３つの発光ダイオードが直列に接続されるとき、少なくとも１つの第１の発光ダイオードが１つの外側ラインを第１の内側セグメントに接続し、該第１の内側セグメントが少なくとも１つの第２の発光ダイオードを介して第２の内側セグメントに接続し、そして、該第２の内側セグメントが少なくとも１つの第３の発光ダイオードを介して第２の外側ラインに接続する。外側ラインは、３つの発光ダイオードセグメントに沿って続き得るが、内側ラインは、単一の発光ダイオードを回路短絡させないようにセグメント化され得る。
【００３１】
２つの発光ダイオードを直列にするように、中間のインターポーザが省略されてもよい。４つ以上の発光ダイオードが直列に接続されるように、ストリング内にあることが望まれる発光ダイオードの数に従って中間インターポーザが繰り返されてもよい。
【００３２】
内側ラインの中心ワイヤは、熱サイクル中の照明ストリップの長さ変動を最小化するために、複数のセグメントで構成され得る。内側ワイヤも、応力緩和のための屈曲を有し得る。幾何学的な理由から、その屈曲は好ましくは、外側ワイヤによって画成される平面から突き出る。中心ワイヤはまた、熱サイクル中の応力補償を可能にするために、外側ワイヤ上に存在するものと同等の屈曲ゾーンを有し得る。好ましくは、内側ワイヤと外側ワイヤとの間の望ましくない電気接触のリスクを低減するために、屈曲ゾーンは、２つの外側ワイヤによって画成される平面から突出している。好ましくは、内側ワイヤ屈曲は、２つの外側ワイヤによって画成される平面に対して垂直に位置付けられる。
【００３３】
真っ直ぐな又は曲がったワイヤセグメントはまた、第１グループの最後の発光ダイオードを、その隣に配置された最初の発光ダイオードに接続し得る。全ての中心ワイヤが電流を搬送する必要があるわけではない。
【００３４】
インターポーザは、第１の面に、発光ダイオードへの接続用の２つの電気結合パッドを有し得る。それにより、発光ダイオードに電流を正しく供給するために、アノードパッド及びカソードパッドが異なり得る。
【００３５】
さらに、インターポーザは、第２の面に、ワイヤへの接続用の４つの結合パッドを有し得る。
【００３６】
インターポーザの第１の面の２つの結合パッドは、ビアを介して、インターポーザの第２の面の結合パッドのうちの２つに接続され得る。
【００３７】
好ましくは、インターポーザは、例えばＣｕ−ＩＭＳ、Ａｌ−ＩＭＳ又はＦＲ４などのプリント回路基板から作製される。それに代えて、インターポーザは、例えば、Ａｌ２Ｏ４又はＡＩＮなどのセラミック材料から作製されてもよい。
【００３８】
好ましくは、発光ダイオード及びワイヤは、インターポーザに、例えばＳＡＣ３０５などの鉛フリーはんだではんだ付けされる。使用される材料は、この選択に限定されず、他のＳＡＣグレード又はＡｕＳｎはんだなどの更なるはんだも同様に使用され得る。
【００３９】
また、追加の電気コンポーネントがインターポーザにマウントされてもよい。そのような追加の電気コンポーネントは、例えば、ＴＶＳダイオード、発光ダイオードのビンコード及び将来性能に従って発光ダイオードの光出力及び電圧出力を調節するための抵抗、又は、１つ以上のストリング内の全ての若しくは個々の若しくは単一の発光ダイオードをスイッチオン及びオフすることができるロジックコンポーネントである。
【００４０】
本発明の更なる一態様によれば、照明装置が提供される。当該照明装置は、上述のいずれかの実施形態に従ったフレキシブル照明ストリップを有する。
【００４１】
好ましくは、フレキシブル照明ストリップがホルダー内に封入される。
【００４２】
本発明の有利な一実施形態において、フレキシブル照明ストリップはシリコーン材料内に封入される。
【００４３】
本発明の更なる一態様によれば、車両ライトアセンブリが提供される。当該車両ライトアセンブリは、上述のいずれかの実施形態に従ったフレキシブル照明ストリップを有する。当該車両ライトアセンブリは、電気インタフェースを有する。該電気インタフェースは、当該車両ライトアセンブリを外部電源に結合するように構成される。
【００４４】
例えば、車両リアライト又は車両フロントライトが、上述のいずれかの実施形態に従った車両ライトアセンブリを有し得る。
【００４５】
車両ライトアセンブリは、例えば、ウェルカムライトとして、車内灯として、デイタイムランニングライト（ＤＲＬ）にて、テールライトにて、ストップライトにて、又はターンライトにて使用され得る。
【００４６】
理解されるべきことには、それぞれの独立請求項との従属請求項の如何なる組み合わせも本発明の一好適実施形態とすることができる。
【００４７】
更なる有利な実施形態が以下に規定される。
【図面の簡単な説明】
【００４８】
本発明のこれら及びその他の態様が、以下に記載される実施形態を参照して明らかになる。
【００４９】
ここに、添付の図面を参照して、実施形態に基づいて、例として、本発明を説明する。図面は以下を示す。
【図１】インターポーザ上の３つのＳＭＤ発光ダイオードの側面図を示している。
【図２】インターポーザ上の３つのＳＭＤ発光ダイオードの上面図を、発光ダイオードをマウントして示している。
【図３】インターポーザ上の３つのＳＭＤ発光ダイオードの上面図を、発光ダイオードを取り外して示している。
【図４】インターポーザ上の３つのＳＭＤ発光ダイオードの上面図を、ワイヤパッドレベルで切断して示している。
【図５】発光ダイオードをマウントしたインターポーザ上の３つのＳＭＤ発光ダイオードの上面図を示している。
【図６ａ】３つのライン状の発光ダイオードのより長いグループの構築を示している。
【図６ｂ】図６ａの発光ダイオードストリングの電気的図解を示している。
【図７】接続ワイヤの取り得る形状を示している。
【００５０】
図面においては、全体を通して、似通った参照符号が同様のオブジェクトを表す。図中のオブジェクトは必ずしも縮尺通りに描かれていない。
【発明を実施するための形態】
【００５１】
以下、本発明の様々な実施形態を図面により説明する。
【００５２】
図１は、長手方向配置で多数の発光ダイオードを有するフレキシブル発光ダイオードバンドのセクションとして、インターポーザ２４上の３つのＳＭＤ発光ダイオード２２のグループの側面図を示している。発光ダイオード２２は、他の３つの発光ダイオードグループと並列のグループとして、ワイヤ３０によって一列に電気直列接続で接続されている。
【００５３】
図２は、長手方向配置で多数の発光ダイオードを有するフレキシブル発光ダイオードバンドのセクションとして、インターポーザ２４上の３つのＳＭＤ発光ダイオード２２の上面図を、発光ダイオード２２をマウントして示している。発光ダイオード２２は、少なくともアノードトラック１２及びカソードトラック１４を外側ワイヤ１２、１４として有する電気回路内に配置されている。外側ライン１２、１４の各々は、実質的に円形のワイヤ３０を有するワイヤラインからなり、外側ライン１２、１４のワイヤは、圧縮応力及び／又は引張応力を受け入れるように曲げられる。上記電気回路が、外側ライン１２、１４の間に配置された中心ラインとして、実質的に円形のワイヤ３０を有する第３のワイヤライン１５を提供している。インターポーザ２４は、３つ全てのワイヤライン１２、１４、１５に接触する。
【００５４】
図３は、長手方向配置で多数の発光ダイオードを有するフレキシブル発光ダイオードバンドのセクションとして、インターポーザ２４上の３つのＳＭＤ発光ダイオード２２の上面図を、発光ダイオード２２を取り外して示している。インターポーザ２４は、第１の面に、発光ダイオード２２への接続用の２つの電気結合パッド３を有している。これにより、発光ダイオード２２を正しく方向付けるために、アノードパッド３及びカソードパッド３が異なっている。発光ダイオード２２が取り外されているので、電気結合パッド３が見えている。電気結合パッド３は、ビア（図示せず）を介してインターポーザ２４の底面のワイヤパッドに接続している。
【００５５】
図４は、長手方向配置で多数の発光ダイオードを有するフレキシブル発光ダイオードバンドのセクションとして、インターポーザ２４上の３つのＳＭＤ発光ダイオード２２の上面図をワイヤパッドレベルで切断して示している。電気接続用の結合パッド（３、３ａ、３ｂ）が矩形で示されている。ハッチングされた結合パッド３ａが、ビア（図示せず）を介してインターポーザ２４の頂面と接続している。電流搬送しない結合パッド（非電流搬送結合パッド）３ｂは、電流を搬送せず、機械的機能のみを有する。
【００５６】
図５は、長手方向配置で多数の発光ダイオード２２を有するフレキシブル発光ダイオードバンドのセクションとして、インターポーザ２４上の３つのＳＭＤ発光ダイオード２２の上面図を示している。発光ダイオード２２の電気接続が、概略的に含められている。フレキシブル照明ストリップ１００では、３つの発光ダイオード２２が外側ライン１２、１４の間に直列に接続されている。第１の発光ダイオード２２が、カソードトラック１４及び第１の内側セグメントに接続され、第１の内側セグメントが、第２の発光ダイオード２２を介して第２の内側セグメントに接続され、第２の内側セグメントが、第３の発光ダイオードを介してアノードトラック１２に接続されている。外側ライン１２、１４は途切れずに続けられるが、第３のワイヤライン１５である内側ラインはセグメント化される。さらに、第３のワイヤライン１５のワイヤ３０は、複数の直線状のセグメントで構成される。
【００５７】
図６ａは、３つのライン状の発光ダイオード２２のより長いグループの構築を示している。
【００５８】
図６ｂは、図６ａの発光ダイオードストリングの電気的図解を示している。
【００５９】
図７は、外側ライン１２、１４に使用されるワイヤ３０の取り得る形状を示している。Ｆｉｇ．７ｂ及びＦｉｇ．７ｃに示す形状は、圧縮応力及び引張応力を補償することができるので、より適している。円形形態のワイヤ３０を使用することで、矩形のリードフレームラインによって行われ得るように、熱機械サイクル応力試験の間にフレキシブル照明ストリップ１００に加わる力に耐え、それを良好に吸収する。
【００６０】
図面及び以上の記載にて本発明を詳細に図示して説明してきたが、これらの図示及び説明は、限定的なものではなく、例示的あるいは典型的なものとみなされるべきである。
【００６１】
本開示を読むことにより、その他の変更が当業者に明らかになる。それらの変更は、技術的に既知であり且つここで既に述べた特徴に代えて又は加えて使用され得るような、その他の特徴を含んでいてもよい。
【００６２】
開示の実施形態への変形が、図面、本開示及び添付の請求項の検討から、当業者によって理解されて実現され得る。請求項において、用語“有する”はその他の要素又はステップを排除するものではなく、不定冠詞“ａ”又は“ａｎ”は複数の要素又はステップを排除するものではない。特定の複数の手段が相互に異なる従属項に記載されているという単なる事実は、それらの手段の組合せが有利に使用され得ないということを指し示すものではない。
【００６３】
請求項中の如何なる参照符号も、その範囲を限定するものとして解されるべきでない。
【符号の説明】
【００６４】
３      結合パッド
３ａ    頂面に接続する結合パッド
１２    アノードトラック、外側ライン
１４    カソードトラック、外側ライン
１５    第３のワイヤライン
２２    発光ダイオード（ＬＥＤ）
２４    インターポーザ
３０    ワイヤ
１００  フレキシブル照明ストリップ
【要約】
本発明は、フレキシブル照明ストリップ（１００）を記述する。フレキシブル照明ストリップ（１００）は、多数の発光ダイオード（２２）を有する。発光ダイオード（２２）は、少なくとも２つのグループにて配置される。各グループが、電気直列接続にて構成された少なくとも２つの発光ダイオード（２２）を有する。該少なくとも２つのグループは、少なくともアノードトラック（１２）及びカソードトラック（１４）を外側ライン（１２、１４）として有する電気回路にて構成される。該少なくとも２つのグループの発光ダイオード（２２）は、アノードトラック（１２）及びカソードトラック（１４）に対して平行に配列される。該少なくとも２つのグループは、第１グループの最後の発光ダイオード（２２）が第２グループの最初の発光ダイオード（２２）の隣に配置されるように長手方向配置で配置される。外側ライン（１２、１４）の各々が、実質的に円形のワイヤ（３０）を有するワイヤラインで構成され、外側ライン（１２、１４）のワイヤ（３０）が曲げられて、圧縮応力及び／又は引張応力を受け入れることができるゾーンを築く。上記電気回路が、外側ライン（１２、１４）の間に配置された中心ラインとして、実質的に円形のワイヤ（３０）を有する第３のワイヤライン（１５）を提供する。全グループの少なくとも１つの発光ダイオード（２２）が、インターポーザ（２４）上にマウントされ、インターポーザ（２４）が３つ全てのワイヤライン（１２、１４、１５）に接触する。本発明は更に、このようなフレキシブル照明ストリップ（１００）を有するライトアセンブリ（１００）、及びそのような車両ライトアセンブリを有する車両リアライト又は車両フロントライトを記述する。【図１】
0006748333.tif 000002
【図２】
0006748333.tif 000003
【図３】
0006748333.tif 000004
【図４】
0006748333.tif 000005
【図５】
0006748333.tif 000006
【図６ａ】
0006748333.tif 000007
【図６ｂ】
0006748333.tif 000008
【図７ａ】
0006748333.tif 000009
【図７ｂ】
0006748333.tif 000010
【図７ｃ】
0006748333.tif 000011